(57)【要約】【課題】情報処理装置に接続されたＡＶ機器のリモートコントロールの設定のための操作を容易に行うことのできる情報処理装置及び情報処理方法を提供すること。【解決手段】情報処理装置１の再生装置１００は、接続可能なＡＶ機器２００の機種をそれぞれ識別する複数の機種識別情報を記憶し、接続されたＡＶ機器２００に機種選択画面の表示情報を供給するとともに、選択された機種に対応する機種識別情報をリモートコントローラ３００に送信する。情報処理装置１のリモートコントローラ３００は、キーの操作に応じてＡＶ機器２００を制御するための無線信号を送信可能であり、再生装置１００に記憶された複数の機種識別情報がそれぞれ示す機種毎の各キーに割り当てられる制御コードの一覧を記憶し、再生装置１００から受信した機種識別情報が示す機種に対応する制御コードの一覧を読み出し、各キーに割り当てる。【選択図】図１
2011244287.tif 000002
【特許請求の範囲】
【請求項１】
情報処理装置本体と、前記情報処理装置本体と通信して前記情報処理装置本体を制御可能なリモートコントローラとを具備し、
前記情報処理装置本体は、
画面を有する電子機器と信号の伝送路を通じて接続可能な接続部と、
前記接続部に接続可能な前記電子機器の機種をそれぞれ識別する複数の機種識別情報があらかじめ記憶された第１の記憶部と、
前記接続部に接続された前記電子機器に、ユーザに前記リモートコントローラを用いて当該電子機器の機種を選択させるための機種選択画面の表示情報を供給するとともに、前記リモートコントローラからの送信信号をもとに前記ユーザにより選択された機種を判定し、前記判定された機種に対応する機種識別情報を前記リモートコントローラに送信するように制御を行う制御部とを有し、
前記リモートコントローラは、
複数のキーと、
前記キーの操作に応じて前記電子機器を制御するための無線信号を送信可能な送信部と、
前記情報処理装置本体の前記第１の記憶部に記憶された前記複数の機種識別情報がそれぞれ示す機種毎の、前記各キーに割り当てられる制御コードの一覧が記憶された第２の記憶部と、
前記情報処理装置本体からの前記機種識別情報を受信し、前記第２の記憶部から前記受信した機種識別情報が示す機種に対応する制御コードの一覧を読み出し、各キーに割り当てる割り当て部とを有する
情報処理装置。
【請求項２】
請求項１に記載の情報処理装置であって、
前記機種選択画面の表示情報は、ユーザに前記リモートコントローラを用いて前記電子機器の機種を選択させるための操作方法に関する情報を含む
情報処理装置。
【請求項３】
請求項２に記載の情報処理装置であって、
前記リモートコントローラは、前記各キーへの制御コードの割り当ての完了を前記情報処理装置本体に通知する完了通信部をさらに有し、
前記情報処理装置本体の前記制御部は、前記通知を受けると、前記各キーへの制御コードの割り当てのテスト方法をユーザに促すための割り当て確認画面の表示情報を前記接続部に接続された前記電子機器に供給する
情報処理装置。
【請求項４】
画面を有する電子機器と信号の伝送路を通じて接続可能な接続部と、前記接続部に接続可能な前記電子機器の機種をそれぞれ識別する複数の機種識別情報があらかじめ記憶された第１の記憶部とを有する情報処理装置本体と、前記情報処理装置本体と通信して前記情報処理装置本体を制御可能な、複数のキーと、前記キーの操作に応じて前記電子機器を制御するための無線信号を送信可能な送信部と、前記情報処理装置本体の前記第１の記憶部に記憶された前記複数の機種識別情報がそれぞれ示す機種毎の、前記各キーに割り当てられる制御コードの一覧が記憶された第２の記憶部とを有するリモートコントローラとを具備する情報処理装置による情報処理方法であって、
前記情報処理装置本体により、前記接続部に接続された前記電子機器に、ユーザに前記リモートコントローラを用いて当該電子機器の機種を選択させるための機種選択画面の表示情報を供給し、
前記リモートコントローラからの送信信号をもとに前記ユーザにより選択された機種を判定し、
前記判定された機種に対応する機種識別情報を前記リモートコントローラに送信し、
前記リモートコントローラにより、前記情報処理装置本体からの前記機種識別情報を受信し、前記第２の記憶部から前記受信した機種識別情報が示す機種に対応する制御コードの一覧を読み出し、各キーに割り当てる
情報処理方法。
【請求項５】
請求項４に記載の情報処理方法であって、
前記機種選択画面の表示情報は、ユーザに前記リモートコントローラを用いて前記電子機器の機種を選択させるための操作方法に関する情報を含む
情報処理方法。
【請求項６】
請求項５に記載の情報処理方法であって、さらに、
前記リモートコントローラにより、前記各キーへの制御コードの割り当ての完了を前記情報処理装置本体に通知し、
前記情報処理装置本体により、前記通知を受けると、前記各キーへの制御コードの割り当てのテスト方法をユーザに促すための割り当て確認画面の表示情報を前記接続部に接続された前記電子機器に供給する
情報処理方法。
【発明の詳細な説明】
【技術分野】
【０００１】
本発明は、テレビジョン装置などのＡＶ（Audio Visual）機器と接続され、ＡＶ機器にＡＶ信号を供給する情報処理装置及び情報処理方法に関する。
【背景技術】
【０００２】
近年、録画再生装置、テレビジョン装置、その他様々な家電機器の多くは、付属のリモートコントローラによる遠隔操作が可能である。また、リモートコントローラの中には複数の電子機器の操作を一台で行うことが可能なものも知られている。
【０００３】
一方、様々なメーカー・型番のＡＶ機器（例えば、テレビジョン装置等）の遠隔操作に対応する、いわゆる汎用リモートコントローラと呼ばれるものもが知られている。この汎用リモートコントローラは、様々なメーカー・型番のＡＶ機器に対応するために、内部の記憶部に、複数のメーカー・型番に対応する機種識別情報と制御コード一覧表とを互いに対応付けて記憶している。ユーザよりリモートコントローラの所定のキー操作によって制御対象のＡＶ機器のメーカー・型番に対応する機種識別情報が入力されると、汎用リモートコントローラは、入力された機種識別情報に対応付けられた制御コード一覧表に基づいて各キーへの制御コードの割り当てを行う。これにより、リモートコントローラを用いてＡＶ機器の遠隔操作を行うことができる（例えば、特許文献１参照。）。
【先行技術文献】
【特許文献】
【０００４】
【特許文献１】特開２０１０−１１３２４号公報
【発明の概要】
【発明が解決しようとする課題】
【０００５】
ところで、近年、テレビジョン装置などのＡＶ機器と接続され、ＡＶ機器にＡＶ信号を供給するＢＤ（Blu-ray Disc、登録商標）プレーヤやＤＶＤ（Digital Versatile Disc）プレーヤなどの情報処理装置本体に付属のリモートコントローラを用いて、ＡＶ機器の遠隔操作を行うことが検討されている。この場合、上記汎用リモートコントローラの各キーへの制御コードの割り当てと同様に、付属のリモートコントローラにＡＶ機器の遠隔操作のための設定を付加する必要がある。
【０００６】
以上のような事情に鑑み、本発明の目的は、情報処理装置本体に接続されたＡＶ機器の遠隔操作の設定のための操作を容易に行うことのできる情報処理装置及び情報処理方法を提供することにある。
【課題を解決するための手段】
【０００７】
上記目的を達成するため、本発明の一形態に係る情報処理装置は、情報処理装置本体と、上記情報処理装置本体と通信して上記情報処理装置本体を制御可能なリモートコントローラとを有する。
上記情報処理装置本体は、接続部と、第１の記憶部と、制御部とを有する。
上記リモートコントローラは、複数のキーと、送信部と、第２の記憶部と、割り当て部とを有する。
上記接続部は、画面を有する電子機器と信号の伝送路を通じて接続可能である。
上記第１の記憶部は、上記接続部に接続可能な上記電子機器の機種をそれぞれ識別する複数の機種識別情報があらかじめ記憶される。
上記制御部は、上記接続部に接続された上記電子機器に、ユーザに上記リモートコントローラを用いて当該電子機器の機種を選択させるための機種選択画面の表示情報を供給するとともに、上記リモートコントローラからの送信信号をもとに上記ユーザにより選択された機種を判定し、上記判定された機種に対応する機種識別情報を上記リモートコントローラに送信するように制御を行う。
上記送信部は、上記キーの操作に応じて上記電子機器を制御するための無線信号を送信可能である。
上記第２の記憶部は、上記情報処理装置本体の上記第１の記憶部に記憶された上記複数の機種識別情報がそれぞれ示す機種毎の、上記各キーに割り当てられる制御コードの一覧が記憶される。
上記割り当て部は、上記情報処理装置本体からの上記機種識別情報を受信し、上記第２の記憶部から上記受信した機種識別情報が示す機種に対応する制御コードの一覧を読み出し、各キーに割り当てる。
【０００８】
これにより、情報処理装置本体を制御するためのリモートコントローラを用いて、この情報処理装置本体に接続された電子機器も遠隔操作することが可能となる。また、遠隔操作の設定のための操作をユーザに誘導する機種選択画面を電子機器に表示させるため、ユーザが機種選択画面を参照しながら機種を入力することができ、遠隔操作の設定のための操作をユーザにとって容易に行うことができる。
【０００９】
上記機種選択画面の表示情報は、ユーザに上記リモートコントローラを用いて上記電子機器の機種を選択させるための操作方法に関する情報を含む。
【００１０】
これにより、電子機器の機種の選択をユーザに誘導するリモートコントローラの操作方法が電子機器に表示されるので、ユーザはこの操作方法を参照しながらさらに容易に機種を入力することができる。
【００１１】
上記リモートコントローラは、上記各キーへの制御コードの割り当ての完了を上記情報処理装置本体に通知する完了通信部をさらに有する。
上記情報処理装置本体の上記制御部は、上記通知を受けると、上記各キーへの制御コードの割り当てのテスト方法をユーザに促すための割り当て確認画面の表示情報を上記接続部に接続された上記電子機器に供給する。
【００１２】
これにより、割り当てのテスト方法をユーザに促すための割り当て確認画面が電子機器に表示されるので、ユーザはこの割り当て確認画面を参照して、リモートコントローラを用いて割り当ての完了を確認するための操作を行うことができる。
【００１３】
上記目的を達成するため、本発明の一形態に係る情報処理方法は、画面を有する電子機器と信号の伝送路を通じて接続可能な接続部と、上記接続部に接続可能な上記電子機器の機種をそれぞれ識別する複数の機種識別情報があらかじめ記憶された第１の記憶部とを有する情報処理装置本体と、上記情報処理装置本体と通信して上記情報処理装置本体を制御可能な、複数のキーと、上記キーの操作に応じて上記電子機器を制御するための無線信号を送信可能な送信部と、上記情報処理装置本体の上記第１の記憶部に記憶された上記複数の機種識別情報がそれぞれ示す機種毎の、上記各キーに割り当てられる制御コードの一覧が記憶された第２の記憶部とを有するリモートコントローラとを有する情報処理装置による情報処理方法である。
上記情報処理装置本体により、上記接続部に接続された上記電子機器に、ユーザに上記リモートコントローラを用いて当該電子機器の機種を選択させるための機種選択画面の表示情報を供給するとともに、上記リモートコントローラからの送信信号をもとに上記ユーザにより選択された機種を判定し、上記判定された機種に対応する機種識別情報を上記リモートコントローラに送信するように制御を行う。
上記リモートコントローラにより、上記情報処理装置本体からの上記機種識別情報を受信し、上記第２の記憶部から上記受信した機種識別情報が示す機種に対応する制御コードの一覧を読み出し、各キーに割り当てる。
【００１４】
上記機種選択画面の表示情報は、ユーザに上記リモートコントローラを用いて上記電子機器の機種を選択させるための操作方法に関する情報を含む。
【００１５】
上記リモートコントローラにより、上記各キーへの制御コードの割り当ての完了を上記情報処理装置本体に通知する。
上記情報処理装置本体により、上記通知を受けると、上記各キーへの制御コードの割り当てのテスト方法をユーザに促すための割り当て確認画面の表示情報を上記接続部に接続された上記電子機器に供給する。
【発明の効果】
【００１６】
本発明によれば、情報処理装置本体に接続されたＡＶ機器の遠隔操作の設定のための操作を容易に行うことができる。
【図面の簡単な説明】
【００１７】
【図１】本発明の一実施形態に係る情報処理装置を示す図である。
【図２】再生装置のハードウェア構成を示すブロック図である。
【図３】リモートコントローラのハードウェア構成を示すブロック図である。
【図４】入力操作部における各種のキー・ボタンのレイアウトを示す平面図である。
【図５】再生装置の機能的な構成を示すブロック図である。
【図６】リモートコントローラの機能的な構成を示すブロック図である。
【図７】再生装置側の、リモートコントローラのセットアップ動作を示すフローチャートである。
【図８】リモートコントローラ側の、リモートコントローラのセットアップ動作を示すフローチャートである。
【図９】機器メーカー選択ＧＵＩ画面を示す図である。
【図１０】型番入力ＧＵＩ画面を示す図である。
【図１１】機種識別情報の供給処理を示すシークエンス図である。
【図１２】セットアップ完了確認ＧＵＩ画面を示す図である。
【図１３】セットアップ完了ＧＵＩ画面を示す図である。
【図１４】セットアップ不成功ＧＵＩ画面を示す図である。
【発明を実施するための形態】
【００１８】
以下、図面を参照しながら、本発明の実施形態を説明する。
【００１９】
［情報処理装置の構成］
図１は、本発明の一実施形態に係る情報処理装置を示す図である。
本発明の情報処理装置１は、再生装置１００（情報処理装置本体）と、リモートコントローラ３００とを有する。再生装置１００には、データ伝送用のインタフェースを通じてＡＶ（Audio Visual）機器２００が接続されている。
【００２０】
再生装置１００は、ＢＤ（Blu-ray Disc：登録商標）やＤＶＤ(Digital Versatile Disc)等の記録媒体に記録された映像コンテンツ及び音声コンテンツを再生可能である。再生装置１００は録画機能を備えた録画再生装置であってもよい。
【００２１】
ＡＶ機器２００は、データ伝送用のインタフェースを通じて再生装置１００と接続された機器である。データ伝送用のインタフェースとしては、例えばＨＤＭＩ（High-Definition Multimedia Interface）方式などが用いられている。ＡＶ機器２００は、例えば、テレビジョン装置などであり、コンテンツの放送波を受信して再生可能であるとともに、データ伝送用のインタフェースを通じて再生装置１００より供給された映像信号および音声信号を出力可能である。
【００２２】
リモートコントローラ３００は、再生装置１００に付属のリモートコントローラである。リモートコントローラ３００は、再生装置１００とＲＦ（Radio Frequency）信号を用いて双方向に無線通信することが可能である。リモートコントローラ３００は、ＲＦ（Radio Frequency）信号を用いて再生装置１００を遠隔操作することが可能であるとともに、再生装置１００にデータ伝送用のインタフェースを通じて接続されたＡＶ機器２００をＩＲ（Infrared）通信により、遠隔操作することが可能である。
【００２３】
［再生装置のハードウェア構成］
次に、再生装置１００のハードウェア構成について説明する。
図２は、再生装置のハードウェア構成を示すブロック図である。
再生装置１００において、ＭＣＵ（Micro Control Unit）１１０には、システムバス６１３を介して、入力操作部６０１と、放送受信部６０２と、ネットワーク接続部６０３と、記憶部６０４と、デコード部６０５と、表示部６０６と、ＨＤＭＩ接続部１５０と、メディアインターフェース部６０８と、ＲＦ送受信部１７０と、ＲＯＭ（Read Only Memory）６１０と、ＲＡＭ（Random Access Memory）６１１とが接続されている。
【００２４】
入力操作部６０１は、各種のキーなどを備える。利用者は、入力操作部６０１を用いて各種の命令やデータの入力を処理する。利用者により入力操作部６０１より入力された各種の命令は、システムバス６１３を通じてＭＣＵ１１０に供給される。
【００２５】
放送受信部６０２は、例えば、地上デジタルテレビジョン放送、ＣＳデジタル放送、ＢＳデジタル放送等、各放送局６２０から配信されてくるトランスポートストリームを受信する。
【００２６】
ネットワーク接続部６０３は、インターネット１０との接続を処理する。
【００２７】
記憶部６０４は、例えばＨＤＤ（Hard Disc Drive）、ＳＳＤ（Solid State Drive）等の大容量記憶媒体よりなり、放送受信部６０２に受信された放送コンテンツなどが記録（録画）される。
【００２８】
デコード部６０５は、記憶部６０４から読み出されたコンテンツのデータをデコードして、デジタルビデオデータ及びデジタルオーディオデータを復元する。復元されたデジタルビデオデータは、及びデジタルオーディオデータは、システムバス６１３を通じてＨＤＭＩ接続部１５０に供給される。
【００２９】
表示部６０６は、例えば、ＬＣＤ（Liquid Crystal Display）などの表示画面を備える表示器と、表示器を駆動する表示制御回路等よりなる。表示部６０６は、利用者から入力された指令やデータの確認、各種のステータス等を表示したりする。
【００３０】
ＨＤＭＩ接続部１５０は、ＡＶ機器２００の接続が可能とされ、接続されたＡＶ機器２００との間でビデオ信号およびオーディオ信号の入出力を処理する。
【００３１】
メディアインターフェース部６０８には、光ディスクなどのリムーバブルメディア６１４の装着が可能とされ、このリムーバブルメディア６１４に放送コンテンツのデータなどを記録することが可能である。リムーバブルメディア６１４としては、例えば、追記型、書換型のＤＶＤ、ブルーレイディスクなどがある。
【００３２】
ＲＦ送受信部１７０は、アンテナを用いてリモートコントローラ３００との間でＲＦ信号による双方向の通信を処理するためのインターフェースである。ＲＦ送受信部１７０は、ＲＦ回路部１４０とＩ／Ｏ（Input/Output）変換部１６０とを有する。ＲＦ回路部１４０は、ＲＦ信号の処理を行う。Ｉ／Ｏ変換部１６０は、ＲＦ回路部１４０から供給された受信ＲＦ信号の復調ならびに受信データの生成、送信用のデータからの送信ＲＦ信号の変調などの処理を行う。
【００３３】
ＲＯＭ６１０は、再生装置１００が実行すべきソフトウェア処理のためのプログラムやデータなどが恒久的に格納された読み出し専用メモリである。なお、プログラムは記憶部６０４に格納されていてもよい。
【００３４】
ＲＡＭ６１１は、ＭＣＵ１１０によって実行されるプログラム・コードをロードしたり、プログラムの作業データを書き込むために使用される、書き込み可能な揮発性メモリである。
【００３５】
ＭＣＵ１１０は、再生装置１００の各部の制御を総括的に行うとともに各部の間でのデータのやりとりを制御する。ＭＣＵ１１０は、上記の各部の制御を総括的に行うとともに各部の間でのデータのやりとりを制御する。ＭＣＵ１１０は、再生装置１００が実行すべきソフトウェア処理を実行するために、必要なプログラムをＲＯＭ６１０からＲＡＭ６１１へロードし、解釈して実行する。
【００３６】
このように、再生装置１００は、典型的なコンピュータ・ハードウェアを用いて構成される。そして、ＲＯＭ６１０に記憶されたプログラムは、再生装置１００のコンピュータ・ハードウェアを、図５に示す各部として機能させる。
【００３７】
［リモートコントローラのハードウェア構成］
次に、リモートコントローラ３００のハードウェア構成について説明する。
図３は、リモートコントローラのハードウェア構成を示すブロック図である。
【００３８】
リモートコントローラ３００は、ＭＣＵ（Micro Control Unit）３１０、ＲＦ送受信部３４０、フラッシュＲＯＭ４０３、入力操作部３３０、ＩＲ送信部３５０を有する。リモートコントローラ３００は、はバッテリ（図示せず。）により駆動される。
【００３９】
ＲＦ送受信部３４０は、再生装置１００と双方向でのＲＦ信号の送受信を行う。
【００４０】
入力操作部３３０は、複数のキーで構成され、それぞれキーに対応する信号をＭＣＵ３１０に出力する。
【００４１】
フラッシュＲＯＭ４０３は、リモートコントローラ３００が実行すべきソフトウェア処理のためのプログラムやデータなどが恒久的に格納された読み出し専用メモリである。
【００４２】
ＩＲ送信部３５０は、ＡＶ機器２００に遠隔操作のためのＩＲ信号の送信を行う。
【００４３】
ここで、入力操作部３３０についてより詳細に説明する。
図４は、入力操作部における各種のキー・ボタンのレイアウトを示す平面図である。
入力操作部３３０には、例えば、カーソルキー操作部３０１、ボリュームキー３０２、再生装置用電源キー３０３、ＡＶ機器用電源キー３０４、チャンネルキー３０５、マウス操作部３０６、キーボード部３０７、スクロールボタン３０８、ズームボタン３０９等がある。これらキー３０１〜３０９を用いて、リモートコントローラ３００に対してユーザから命令が入力される。
【００４４】
カーソルキー操作部３０１は、上下左右方向のカーソルキーと、中心に設けられたエンターキーとを有する。カーソルキー操作部３０１は、例えば、ＡＶ機器２００に表示されるメニュー画面上でユーザにより選択候補の状態にあるオブジェクトを視覚化するフォーカスを、カーソルキーの方向に、押される度にオブジェクトの個数分移動させるのに用いられる。
【００４５】
ボリュームキー３０２は、再生装置１００により再生される音声コンテンツ又はＡＶ機器２００により再生される音声コンテンツのボリュームを調節するために用いられる。
再生装置用電源キー３０３は、再生装置１００の電源をオン・オフするために用いられる。
ＡＶ機器用電源キー３０４は、ＡＶ機器２００の電源をオン・オフするために用いられる。
チャンネルキー３０５は、ＡＶ機器２００により受信する放送波の供給元の放送局を選択するために用いられる。
【００４６】
マウス操作部３０６は、光学式のマウス操作部であり、ユーザがその上に載置した指をスライド移動させたりタップさせたりすることにより、リモートコントローラ３００に対してユーザから命令が入力される。マウス操作部３０６は、ウィンドウ、ホーム、メニュー及びバックの各キー部を持ち、ユーザがこれら各キー部の上に載置した指をタップさせたりすることにより、命令に合った画面が表示される。マウス操作部３０６は、主に、インターネット１０を通じたウェブページの閲覧時に用いられる。
【００４７】
キーボード部３０７は、文字列の入力に用いられたり、ファンクションキーと所定の文字キーとを同時に押下することにより所定機能を行うのに用いられる。キーボード部３０７のエンターキー３０７ａは、所定の操作の決定に用いられる。
【００４８】
スクロールボタン３０８は、ＡＶ機器２００に表示された表示画面をスクロール表示するのに用いられる。例えば、ユーザがスクロールボタン３０８を押下しながらポインティングディバイス３０６に載置した指を所定方向にスライド移動させることにより、ＡＶ機器２００に表示された表示画面がスクロール表示される。
ズームボタン３０９は、ＡＶ機器２００に表示された表示画面をズーム表示するのに用いられる。例えば、ユーザがズームボタン３０９を押下しながらポインティングディバイス３０６に載置した指を所定方向にスライド移動させることにより、ＡＶ機器２００に表示された表示画面がズーム表示される。
【００４９】
以上のように、リモートコントローラ３００は、再生装置１００の遠隔操作のためのキー（再生装置用電源キー３０３等）に加えて、再生装置１００に接続されたＡＶ機器２００の遠隔操作のためのキー（ＡＶ機器用電源キー３０４等）も有する。また、リモートコントローラ３００は、再生装置１００が接続されたインターネット１０を通じたウェブページの閲覧の操作のためのキー（マウス操作部３０６等）も有する。
【００５０】
［ＡＶ機器のハードウェア構成］
ＡＶ機器２００のハードウェア構成に関する詳細な説明は省略するが、ＡＶ機器２００は、放送受信部、コントローラ、不揮発性メモリ、主メモリ、入力操作部、表示画面、音声出力部、ＨＤＭＩ接続部、ＩＲ受信部等、再生装置１００で再生される映像コンテンツを表示するＡＶ機器として機能するための最低限のハードウェア要素を有している。
【００５１】
［再生装置の機能的な構成］
次に、再生装置１００の機能的な構成について説明する。
図５は、再生装置の機能的な構成を示すブロック図である。
再生装置１００は、ＭＣＵ１１０と、セットアップＧＵＩ画面（Graphic User Interface）データ保存部１２０と、機種識別情報保存部１３０（第１の記憶部）と、ＲＦ送受信部１７０と、ＨＤＭＩ（High-Definition Multimedia Interface）接続部１５０とを有する。
【００５２】
ＭＣＵ１１０は、ユーザからの所定の入力操作を受けたリモートコントローラ３００から送信されたセットアップ開始信号を受けて、セットアップＧＵＩデータ保存部１２０に保存されたセットアップＧＵＩデータを読み出してＨＤＭＩ接続部１５０を通じてＡＶ機器２００に供給してＡＶ機器２００にセットアップＧＵＩ画面を表示させる。ＭＣＵ１１０は、また、ユーザからの所定の入力操作を受けたリモートコントローラ３００からの送信信号をもとにユーザにより選択されたＡＶ機器２００の機種を判定し、判定された機種に対応する機種識別情報をリモートコントローラ３００にＲＦ送受信部１７０を通じて送信する、等の処理を行う。
【００５３】
セットアップＧＵＩデータ保存部１２０は、リモートコントローラ３００のセットアップ時にＡＶ機器２００の表示画面に表示される種々のセットアップＧＵＩデータを保存する部分である。
【００５４】
機種識別情報保存部１３０は、リモートコントローラ３００のセットアップの対象として選択可能な、つまり、ＨＤＭＩ接続部１５０に接続可能な全てのＡＶ機器の型番と、そのＡＶ機器のメーカー名と、これらメーカー名及び型番によって表されるＡＶ機器を一意に示す機種識別情報とを互いに対応付けて保存する部分である。
なお、セットアップＧＵＩデータ保存部１２０及び機種識別情報保存部１３０は、例えば、ＨＤＤ、ＳＳＤなどの読み書きが可能な記憶装置に設けられる。
【００５５】
［リモートコントローラの機能的な構成］
次に、リモートコントローラ３００の機能的な構成について説明する。
図６は、リモートコントローラの機能的な構成を示すブロック図である。
リモートコントローラ３００は、ＭＣＵ３１０（割り当て部）と、機種識別情報／制御コード対応表保存部３２０（第２の記憶部）と、入力操作部３３０と、ＲＦ送受信部３４０と、ＩＲ送信部３５０とを有する。
【００５６】
ＭＣＵ３１０は、ＲＦ送受信部３４０を通じて再生装置１００から選択フラグが設定された機種識別情報を受信し、この機種識別情報に対応付けられた制御コード一覧表を機種識別情報／制御コード対応表保存部３２０から読み出し、読み出した制御コード一覧表に基づいて入力操作部３３０の各キーへの制御コードの割り当てを行う、等の処理を行う。ここで、この制御コードの割り当ての動作を、リモートコントローラ３００でのＡＶ機器２００の「セットアップ動作」と呼ぶ。
【００５７】
機種識別情報／制御コード対応表保存部３２０は、再生装置１００の機種識別情報保存部１３０に保存されたリモートコントローラ３００のセットアップの対象として選択可能な全てのＡＶ機器の、機種識別情報と制御コード一覧表とが互いに対応付けられて保存された部分である。ここで、制御コード一覧表とは、入力操作部３３０のそれぞれのキーと、このキーが操作されることによってＡＶ機器に送信されるコードとの対応表である。
なお、機種識別情報／制御コード対応表保存部３２０は、例えば、フラッシュＲＯＭなどの読み書きが可能な記憶装置に設けられる。
【００５８】
［再生装置及びリモートコントローラの動作］
次に、再生装置１００及びリモートコントローラ３００の動作について説明する。
ここでは、まず、リモートコントローラ３００のセットアップ動作について説明し、次に、セットアップ完了確認動作について説明することとする。
【００５９】
［リモートコントローラのセットアップ動作］
図７は、再生装置側の、リモートコントローラのセットアップ動作を示すフローチャートである。
再生装置１００のＭＣＵ１１０は、ユーザからの所定の入力操作を受けてリモートコントローラ３００から送信されるセットアップ開始信号を受けて、セットアップＧＵＩデータ保存部１２０からセットアップＧＵＩデータを読み出し、このセットアップＧＵＩデータをＨＤＭＩ接続部１５０を通じてＡＶ機器２００に供給してＡＶ機器２００にセットアップＧＵＩ画面を表示させる（ステップＳＴ１０１）。このＡＶ機器２００に表示されたセットアップＧＵＩ画面を参照しながらユーザはリモートコントローラ３００の特定のキーを操作して、接続されたＡＶ機器２００の選択を行う。リモートコントローラ３００のＭＣＵ３１０は、ＡＶ機器２００の選択情報をＲＦ送受信部３４０を用いてＲＦ信号として送信する。一方、再生装置１００のＭＣＵ１１０は、リモートコントローラ３００よりＡＶ機器２００の選択情報をＲＦ送受信部１７０を通じて受信し、この選択情報をもとにユーザにより選択されたＡＶ機器２００の機種を判定して（ステップＳＴ１０２）、この判定された機種に機種識別情報保存部１３０から読み出してＲＦ送受信部１７０を通じてリモートコントローラ３００に送信する（ステップＳＴ１０３）。
【００６０】
図８は、リモートコントローラ側の、リモートコントローラのセットアップ動作を示すフローチャートである。
リモートコントローラ３００のＭＣＵ３１０は、ＲＦ送受信部３４０を通じて再生装置１００から機種識別情報を受信すると（ステップＳＴ２０１）、この機種識別情報に対応する制御コード一覧表を機種識別情報／制御コード対応表保存部３２０から読み出す。ＭＣＵ３１０は、読み出した制御コード一覧表に基づいて入力操作部３３０の各キーへの制御コードの割り当てを行う（ステップＳＴ２０２）。
【００６１】
以下、各ステップＳＴ１０１〜ＳＴ１０３、ステップＳＴ２０１〜ＳＴ２０２について詳細に説明する。
再生装置１００のＭＣＵ１１０は、ユーザからの所定の入力操作を受けたリモートコントローラ３００から送信されたセットアップ開始信号を受けて、セットアップＧＵＩデータ保存部１２０から機器メーカー選択ＧＵＩデータを読み出してＨＤＭＩ接続部１５０を通じてＡＶ機器２００に供給することで、ＡＶ機器２００に機器メーカー選択ＧＵＩ画面を表示させる（図７のステップＳＴ１０１）。そしてユーザにリモートコントローラ３００の操作によって機器メーカー名を選択させる（図７のステップＳＴ１０２）。
【００６２】
図９は、機器メーカー選択ＧＵＩ画面を示す図である。
同図に示すように、機器メーカー選択ＧＵＩ画面には、複数の機器メーカー名等が表示されている。これら機器メーカー名は、機種識別情報保存部１３０に保存されたメーカー名、すなわち、リモートコントローラ３００のセットアップの対象として選択可能な全てのＡＶ機器のメーカーとしてのメーカー名である。機器メーカー選択ＧＵＩ画面のメーカー名の表示項目の１つはフォーカス状態となるように制御されている。このフォーカス状態の表示項目をユーザはリモートコントローラ３００の操作によって移動させ、目的のメーカー名の表示項目がフォーカス状態となったところで、ユーザがリモートコントローラ３００の特定のキーを操作することで、選択情報が再生装置１００に送信されるようになっている。
【００６３】
図７に戻って、ユーザによりリモートコントローラ３００の特定のキーの操作によって機器メーカー名が選択されると、ＭＣＵ３１０は、現在フォーカス状態にあるメーカー名がユーザによって選択されたものと判断して、セットアップＧＵＩデータ保存部１２０から型番入力ＧＵＩデータを読み出してＨＤＭＩ接続部１５０を通じてＡＶ機器２００に供給し、ＡＶ機器２００に型番入力ＧＵＩ画面を表示させる（図７のステップＳＴ１０１）。
【００６４】
図１０は、型番入力ＧＵＩ画面を示す図である。
同図に示すように、型番入力ＧＵＩ画面には、上記選択された機器メーカー名と、型番入力欄と、型番入力後にエンターキー３０７ａの長押し操作を促すガイド文が表示されている。
この型番入力ＧＵＩ画面において、ユーザはリモートコントローラ３００を操作してＡＶ機器の型番に対応する数字キーを操作することで、その都度操作された数字キーに対応するコードが再生装置１００に送信される。そして、型番に対応する数字キーの操作が完了したところで、ユーザは、エンターキー３０７ａを長押しする（図７のステップＳＴ１０２）。再生装置１００は、リモートコントローラ３００からのエンターキー３０７ａに対応するコードを受信すると、それまでに送られてきた１以上の数字キーに対応する数字コードの配列を型番情報として判断する。
【００６５】
再生装置１００のＭＣＵ１１０は、リモートコントローラ３００より型番情報を取得すると、ユーザより通知されたメーカー名と型番情報との組み合わせに対応付けて機種識別情報保存部１３０に記録された機種識別情報に選択フラグを設定する。そして、ＭＣＵ１１０は、選択フラグが設定された機種識別情報をリモートコントローラ３００に供給する（図７のステップＳＴ１０３）。
【００６６】
ここで、ステップＳＴ１０３の機種識別情報の供給処理についてさらに詳細に説明する。
図１１は、再生装置１００からリモートコントローラ３００への機種識別情報の供給処理を示すシーケンス図である。
リモートコントローラ３００のＭＣＵ３１０は、エンターキー３０７ａのオン操作（Ｓ１）が所定時間を超過したことを判定すると、ＲＦ送受信部３４０を受信モードに設定する（Ｓ２）。リモートコントローラ３００のＲＦ送受信部３４０は、受信モードに設定されると、再生装置１００のＲＦ送受信部１７０に受信モード開始通知を送信する（Ｓ３）。
【００６７】
ここで、リモートコントローラ３００のＲＦ送受信部３４０のモードについて説明する。ＲＦ送受信部３４０は、送信モードおよび受信モードの選択が可能である。ＲＦ送受信部３４０は、通常は送信モードに設定されている。送信モードとは、リモートコントローラ３００のＲＦ送受信部３４０からＲＦ信号を送信可能な状態をいう。一方、ＲＦ送受信部３４０は、受信モードは、ＲＦ送受信部３４０が再生装置１００からのＲＦ信号を受信可能な状態をいう。リモートコントローラ３００はバッテリにより駆動されるため、ＲＦ送受信部３４０を受信モードに設定して受信部への通電が行われる時間は最小限にすることが、バッテリの利用効率を高めるために有効である。
【００６８】
図１１に戻って、再生装置１００のＩ／Ｏ変換部１６０は、ＲＦ回路部１４０を通じて、リモートコントローラ３００からの受信モード開始通知を取得する（Ｓ４）。この通知を受けると、Ｉ／Ｏ変換部１６０は、ＲＦ回路部１４０を通じて（Ｓ５）リモートコントローラ３００に応答通知（ＡＣＫ）を返信する（Ｓ６）。リモートコントローラ３００のＭＣＵ３１０は、ＲＦ送受信部３４０を通じて、再生装置１００からの応答通知（ＡＣＫ）を受信すると（Ｓ７）、エンターキー３０７ａのコードをＲＦ送受信部３４０に通知し（Ｓ８）、ＲＦ送受信部３４０に、エンターキー３０７ａがオン状態（長押し状態）であることを再生装置１００に通知させる（Ｓ９）。再生装置１００のＭＣＵ１１０は、ＲＦ回路部１４０及びＩ／Ｏ変換部１６０を通じて（Ｓ１０）、エンターキー３０７ａがオン状態であるとの通知を受け取る（Ｓ１１）。
【００６９】
エンターキー３０７ａの長押しが解放されると（Ｓ１２）、リモートコントローラ３００のＭＣＵ３１０は、エンターキー３０７ａのコードをＲＦ送受信部３４０に再度通知し（Ｓ１３）、ＲＦ送受信部３４０に、エンターキー３０７ａの長押しが解放されたことを再生装置１００に通知させる（Ｓ１４）。再生装置１００のＭＣＵ１１０は、ＲＦ回路部１４０及びＩ／Ｏ変換部１６０を通じて（Ｓ１５）、エンターキー３０７ａの長押しの解放の通知を受け取る（Ｓ１６）。
【００７０】
続いて、再生装置１００のＭＣＵ１１０は、選択フラグが設定された機種識別情報を、Ｉ／Ｏ変換部１６０（Ｓ１７）及びＲＦ回路部１４０を通じて（Ｓ１８）、リモートコントローラ３００に送信する（Ｓ１９）。
【００７１】
リモートコントローラ３００のＭＣＵ３１０は、ＲＦ送受信部３４０を通じて再生装置１００から機種識別情報を受信すると（Ｓ２０、図８のステップＳＴ２０１）、ＲＦ送受信部３４０に受信モードを終了させ（Ｓ２１）、ＲＦ送受信部３４０を通じて再生装置１００に受信モードの終了を通知する（Ｓ２２）。再生装置１００のＩ／Ｏ変換部１６０は、ＲＦ回路部１４０を通じて、リモートコントローラ３００からの受信モードの終了通知を受信する（Ｓ２３）。
【００７２】
一方、リモートコントローラ３００のＭＣＵ３１０は、ＲＦ送受信部３４０の受信モードを終了すると（Ｓ２１）、再生装置１００より取得した機種識別情報（Ｓ２０）に対応する制御コード一覧表を機種識別情報／制御コード対応表保存部３２０から読み出し、読み出した制御コード一覧表に基づいて入力操作部３３０の各キーへの制御コードの割り当てを行う。これにより、再生装置１００に接続されたＡＶ機器２００のセットアップ動作が完了となる（図８のステップＳＴ２０２）。これにより、リモートコントローラ３００がＡＶ機器２００を遠隔操作することが可能な状態となる。
【００７３】
なお、リモートコントローラ３００のＭＣＵ３１０は、受信モード維持期間中に特定キー（エンターキー３０７ａ）以外のキーがオン状態になったことを検出すると、ＲＦ送受信部３４０に受信モードを受信モードを終了させ（Ｓ２１）、オンされたキーのキーコードをＲＦ送受信部３４０を通じて再生装置１００に送信する。また、リモートコントローラ３００のＭＣＵ３１０は、受信モード維持期間中に特定キー（エンターキー３０７ａ）が解放され、再度特定キー（エンターキー３０７ａ）がオン状態となったことを検出すると、ＲＦ送受信部３４０に受信モードを受信モードを終了させ（Ｓ２１）、再度、ＲＦ送受信部３４０に受信モードを開始させる（Ｓ２）。
【００７４】
［セットアップ完了確認動作］
以上、リモートコントローラ３００のセットアップが完了すると、セットアップ完了の確認動作が行われる。
【００７５】
図１１を参照し、まず、リモートコントローラ３００のＭＣＵ３１０は、セットアップの完了をＲＦ送受信部３４０を通じて（Ｓ２４）再生装置１００に通知する（Ｓ２５）。再生装置１００のＭＣＵ１１０は、ＲＦ回路部１４０及びＩ／Ｏ変換部１６０を通じて（Ｓ２６）、セットアップ完了の通知を取得する（Ｓ２７）。
【００７６】
セットアップ完了の通知を取得すると（Ｓ２７）、ＭＣＵ１１０は、セットアップＧＵＩデータ保存部１２０からセットアップ完了確認ＧＵＩデータを読み出してＨＤＭＩ接続部１５０を通じてＡＶ機器２００に供給し、ＡＶ機器２００にセットアップ完了確認ＧＵＩ画面を表示させてユーザにリモートコントローラ３００の入力操作部３３０を用いてセットアップ完了の確認を促す。
【００７７】
図１２は、セットアップ完了確認ＧＵＩ画面を示す図である。
同図に示すように、セットアップ完了確認ＧＵＩ画面には、ユーザにリモートコントローラ３００の入力操作部３３０の操作の指示等が表示される。例えば、セットアップ完了確認ＧＵＩ画面には、ＡＶ機器用電源キー３０４を押下してＡＶ機器２００の電源がオン・オフするか確認し、セットアップ成功・セットアップ不成功の何れかを選択するよう指示が表示される。
【００７８】
ＭＣＵ１１０は、セットアップ成功が選択されたと判定すると、セットアップＧＵＩデータ保存部１２０からセットアップ完了ＧＵＩデータを読み出してＨＤＭＩ接続部１５０を通じてＡＶ機器２００に供給し、ＡＶ機器２００にセットアップ完了ＧＵＩ画面を表示させてユーザにリモートコントローラ３００の入力操作部３３０を用いてセットアップ完了を通知する。
【００７９】
図１３は、セットアップ完了ＧＵＩ画面を示す図である。
同図に示すように、セットアップ完了ＧＵＩ画面には、リモートコントローラ３００のセットアップが完了し、リモートコントローラ３００によりＡＶ機器２００を制御可能となったことを報知するガイド文と、機器メーカー名及び機器コードとが表示される。
【００８０】
一方、ＭＣＵ１１０は、セットアップ不成功が選択されたと判定すると、セットアップＧＵＩデータ保存部１２０からセットアップ不成功ＧＵＩデータを読み出してＨＤＭＩ接続部１５０を通じてＡＶ機器２００に供給し、ＡＶ機器２００にセットアップ不成功ＧＵＩ画面を表示させてユーザにリモートコントローラ３００の入力操作部３３０を用いてセットアップ不成功を通知し、セットアップの再度の実行を促す。
【００８１】
図１４は、セットアップ不成功ＧＵＩ画面を示す図である。
同図に示すように、セットアップ不成功ＧＵＩ画面には、リモートコントローラ３００のセットアップが完了していないことを報知し、ユーザにより選択及び入力された機器メーカー名及び機器コードについて確認を促すガイド文、セットアップの再度の実行を促すガイド文が含まれる。
【００８２】
以上説明した本発明の実施形態によれば、再生装置１００を制御するための付属のリモートコントローラ３００を用いて、この再生装置１００に接続されたＡＶ機器２００もリモートコントロールすることが可能となる。また、リモートコントロールの設定のための操作をユーザに誘導する機器メーカー選択ＧＵＩ画面及び型番入力ＧＵＩ画面をＡＶ機器２００に表示させるため、ユーザが機器メーカー選択ＧＵＩ画面及び型番入力ＧＵＩ画面を参照しながらメーカー名を選択及び型番をを入力することができ、リモートコントロールの設定のための操作をユーザにとって容易に行うことができる。
【００８３】
また、型番入力ＧＵＩ画面には、ＡＶ機器２００の機種を選択させるための操作方法に関する情報、つまりエンターキー３０７ａの押下を促すＧＵＩが含まれる。これにより、ユーザは操作方法を参照しながらさらに容易に機種を入力することができる。
【００８４】
また、各キーへの制御コードの割り当てのテスト方法をユーザに促すためのセットアップ完了確認ＧＵＩ画面がＡＶ機器２００に表示される。これにより、ユーザはこのセットアップ完了確認ＧＵＩ画面を参照して、リモートコントローラ３００を用いてセットアップの完了を確認するための操作を行うことができる。
【符号の説明】
【００８５】
１…情報処理装置
１００…再生装置
１１０、３１０…ＭＣＵ
１３０…機種識別情報保存部
１５０…ＨＤＭＩ接続部
１７０、３４０…ＲＦ送受信部
２００…ＡＶ機器
３００…リモートコントローラ
３２０…機種識別情報／制御コード対応表保存部
３３０…入力操作部
３５０…ＩＲ送信部
【図１】
2011244287.tif 000003
【図２】
2011244287.tif 000004
【図３】
2011244287.tif 000005
【図５】
2011244287.tif 000006
【図６】
2011244287.tif 000007
【図７】
2011244287.tif 000008
【図８】
2011244287.tif 000009
【図９】
2011244287.tif 000010
【図１０】
2011244287.tif 000011
【図１１】
2011244287.tif 000012
【図１２】
2011244287.tif 000013
【図１３】
2011244287.tif 000014
【図１４】
2011244287.tif 000015
【図４】
2011244287.tif 000016